(57)【特許請求の範囲】
【請求項１】
長方形状のシート１０を、その長手方向の両側縁１１，１１それぞれが一致するように、該長手方向の略中央に折曲部１２を位置させて２つ折りにし、
上記両側縁１１，１１それぞれの中央部を、上記折曲部１２近傍及び上記両側縁１１，１１それぞれの前方部にそれぞれ非シール部１３，１４を設けて接合したことを特徴とする袋状の清拭用シート１。
【発明の詳細な説明】
【０００１】
【発明の属する技術分野】
本発明は、袋状の清拭用シートに関し、更に詳しくは、特に介護用清拭シートとして好適なもので、その使用の際に人体に痛みを感じさせることがなく、また、その着脱を容易に且つ清潔に行うことができる袋状の清拭用シートに関する。
【０００２】
【従来の技術】
従来より、袋状の清拭用シートとして、２枚の方形状のシートを２枚重ねにして４辺中３辺を全部接合し、１辺に開口部を設けたもの、又は１枚の長方形状のシートを２つ折りにし、その長手方向の両側縁それぞれを全部接合し、先端部に開口部を設けたものが知られていた。そして、このような袋状の清拭用シートは、開口部から一部又は全部の指を袋内に挿入して使用されていた。
【０００３】
【発明が解決しよとする課題】
しかし、上述した従来の袋状の清拭用シートは、上記開口部の縁部と直交する２辺が全部接合されているので、該２辺と上記開口部と対向する１辺とが交差する二つの隅部が硬い角部になり、人体に使用する際に、この角部の先端が肌に当ると人体に痛みを与えるという問題があった。また、上記袋内への手の出入を容易に行い難く、使用後廃棄する際には、手や服等に汚れが付き易かった。
【０００４】
従って、本発明の目的は、介護用清拭シートとして好適し、その使用の際に人体に痛みを感じさせることがなく、また、その着脱を容易に且つ清潔に行うことができる袋状の清拭用シートを提供することにある。
【０００５】
【課題を解決するための手段】
本発明は、長方形状のシート１０を、その長手方向の両側縁１１，１１それぞれが一致するように、該長手方向の略中央に折曲部１２を位置させて２つ折りにし、上記両側縁１１，１１それぞれの中央部を、上記折曲部１２近傍及び上記両側縁１１，１１それぞれの前方部にそれぞれ非シール部１３，１４を設けて接合したことを特徴とする袋状の清拭用シート１を提供することにより、上記目的を達成したものである。
【０００６】
【発明の実施の形態】
以下、本発明の袋状の清拭用シートの実施の形態について図面を参照しながら説明する。図１は、本発明の袋状の清拭用シートの一実施形態を示す斜視図、図２は、図１に示す清拭用シートの平面図、図３は、挿入空間に手を挿入した時の本実施形態の清拭用シートを示す斜視図、図４は、挿入空間に指を挿入した時の本実施形態の清拭用シートを示す斜視図、図５（ａ）  は、図１に示す清拭用シートを手に装着した時の側面から見た断面図、図５（ｂ）  は、図１に示す清拭用シートを使用後に手から取り外した状態を側面から見た断面図である。
【０００７】
本実施形態の袋状の清拭用シート１は、図１及び図２に示すように、長方形状のシート１０を、その長手方向の両側縁１１，１１それぞれが一致するように、該長手方向の略中央に折曲部１２を位置させて２つ折りにし、上記両側縁１１，１１それぞれの中央部を、上記折曲部１２近傍及び上記両側縁１１，１１それぞれの前方部にそれぞれ非シール部１３，１４を設けて接合して形成されている。
【０００８】
本実施形態について詳述すると、袋状の清拭用シート１の大きさは、図２に示すように、上記長手方向の長さＳが、好ましくは３〜２０ｃｍ、更に好ましくは４〜１０ｃｍになされており、その幅方向の長さＬが、好ましくは３〜２０ｃｍ、更に好ましくは８〜１５ｃｍになされている。
【０００９】
上記折曲部１２近傍の非シール部１３は、図２に示すように、その長さＳ１  が、好ましくは０．５〜５ｃｍ、更に好ましくは１．２５〜２．５ｃｍになされている。また、上記前方部の非シール部１４は、図２に示すように、その長さＳ２  が、好ましくは１〜１０ｃｍ、更に好ましくは１．２５〜５．０ｃｍになされている。上記シール部１５は、図２に示すように、その幅Ｗが、好ましくは１〜５ｍｍ、更に好ましくは、１〜３ｍｍになされている。
【００１０】
上記シール部１５の接合方法は、特に制限されないが、例えば、ヒートシール、粘着剤を用いたシール、縫い合わせ等の接合方法が挙げられる。
【００１１】
本実施形態の清拭用シート１を形成するシート１０には、コットン、レーヨン、パルプ等の繊維を１種若しくは２種以上を混合した不織布を用いる。該不織布の形態としては、例えば、スパンレース不織布、スパンボンド不織布等の不織布が挙げられ、特に、熱融着繊維（ポリプロピレン等）を含むレーヨンスパンレース不織布を用いることが好ましい。また、上記シート１０は、ドライで用いてもよく、また含浸液を含浸させたウェットで用いてもよい。ウェットで用いる場合には、例えば、保存剤及び保湿剤を含む水をベースとした含浸液を、シート１０の重量の、好ましくは１００〜３００％、更に好ましくは２００〜２５０％含浸させて用いる。また、上記シート１０には、その厚さが０．２〜１．０ｍｍのものを用いるのが好ましい。
【００１２】
以上のように構成された本実施形態の清拭用シート１は、その使用の際には、上述した大きさの範囲の中から適宜選択されて、図３に示すような、上記両側縁１１，１１それぞれの中央部を接合することにより形成された挿入空間１６に、人間の平均的な手が挿入できる大きさの袋状の清拭用シート１’、又は図４に示すような、上記挿入空間１６の大きさが人差し指及び中指が丁度挿入できる大きさの袋状の清拭用シート１”等が用いられる。図３に示す袋状の清拭用シート１’は、特に、おしり拭き、大人向けの介護用タオルとして用いられ、図４に示す袋状の清拭用シート１”は、特に化粧用パフとして用いられる。
【００１３】
図３に示す袋状の清拭用シート１’は、上述した本実施形態の清拭用シート１の大きさの範囲から上記長手方向の長さＳが、好ましくは１０〜２０ｃｍ、更に好ましくは１５〜１８ｃｍ、上記幅方向の長さＬが、好ましくは８〜２０ｃｍ更に好ましくは１０〜１５ｃｍになされて形成されている。
【００１４】
図３に示す袋状の清拭用シート１’においては、上記折曲部１２近傍の非シール部１３の長さＳ１  は、上述した範囲の中から、好ましくは０．５〜５ｃｍ、更に好ましくは１．２５〜２．５ｃｍが選択され、上記前方部の非シール部１４の長さＳ２  は、上述した範囲の中から、好ましくは１〜１０ｃｍ、更に好ましくは３〜５ｃｍが選択される。これは、上記折曲部１２近傍の非シール部１３の長さＳ１  が５ｃｍ以上であると、非シール部１３から指が出て取り扱い難く、０．５ｃｍ未満であると、上記折曲部１２の両端が硬い角部になり、この角部の先端が肌に対して痛みを与え易くなる。
【００１５】
図４に示すような袋状の清拭用シート１”は、上述した本実施形態の清拭用シート１の大きさの範囲から上記長手方向の長さＳが、好ましくは２〜１０ｃｍ、更に好ましくは３〜５ｃｍ、上記幅方向の長さＬが、好ましくは２〜６ｃｍ、更に好ましくは２〜４ｃｍになされて形成されている。
【００１６】
図４に示すような袋状の清拭用シート１”おいては、上記折曲部１２近傍の非シール部１３の長さＳ１  は、上述した範囲の中から、好ましくは０．５〜３ｃｍ、更に好ましくは１．２５〜２．５ｃｍが選択され、上記前方部の非シール部１４の長さＳ２  は、上述した範囲の中から、好ましくは１〜９ｃｍ、更に好ましくは１．２５〜５ｃｍが選択される。これは、上記折曲部１２近傍の非シール部１３の長さＳ１  が３ｃｍ以上であると、非シール部１３から指が出て取り扱い難く、０．５ｃｍ未満であると、上記折曲部１２の両端が硬い角部になり、この角部の先端が肌に対して痛みを与え易くなる。
【００１７】
そして、本実施形態の清拭用シート１の使用後は、上記清拭用シート１を、図５（ａ）  に示すような装着状態から、挿入していない方の手で上記前方部の非シール部１４を摘んで挿入している手の指の前方側に引きながら、図５（ｂ）  に示すように、裏返しにし、そのまま廃棄する。
【００１８】
本実施形態の清拭用シート１は、図１及び図２に示すように、上記折曲部１２近傍に非シール部１３が設けられているので、上記折曲部１２の両端が硬い角部になることはなく、その使用の際に、人体に痛みを与えるということはない。
【００１９】
また、本実施形態の清拭用シート１は、図１及び図２に示すように、上記両側縁１１，１１それぞれの前方部に非シール部１４が設けられているので、装着の際に、上記挿入空間１６の挿入口をわざわざ開口することなく、手を容易に該挿入空間１６に挿入することができる。
【００２０】
また、本実施形態の清拭用シート１によれば、図５（ｂ）  に示すように、使用後に簡単に裏返すことができ、また、そのまま廃棄することができるので、廃棄の際に、手や服等に汚れが付き難い。
【００２１】
尚、本発明は、上記実施形態に限られるものではなく、本発明の目的を逸脱しない範囲において、その寸法、形状等を適宜変更することができる。
【００２２】
次に、上述した本実施形態の袋状の清拭用シートの好ましい一製造方法について図を参照しながら説明する。図６は、本実施形態の袋状の清拭用シートを製造工程の要部を示す斜視図である。
先ず、上記長方形状のシート１０の長手方向の長さを有する帯状のシート２をその幅方向の中心で２つ折りにしたものを、適宜の手段で上記帯状のシート２の長手方向に直進させる。
【００２３】
次いで、図６に示すように、上記幅方向の中央部を、上記折曲部１２近傍及び上記前方部の非シール部１３，１４をそれぞれの長さＳ１  ，Ｓ２  が所定の長さになるように設けて接合し、その接合と同時に、上記シール部１５の幅Ｗが所定の幅になるように切断機で切断する。
その後、上記帯状のシート２を、図６に示すように、上述した切断位置から上述した本実施形態の清拭用シート１の幅方向の長さＬ分だけ直進させた位置で、上記幅方向の中央部を、上記折曲部１２近傍及び上記前方部の非シール部１３，１４を、それぞれの長さＳ１  ，Ｓ２  が所定の長さになるように設けて接合し、その接合と同時に、上記シール部１５の幅Ｗが所定の幅になるように切断機で切断する。そして、本実施形態の袋状の清拭用シート１を、この最後の工程を複数回続けて複数枚製造する。
【００２４】
以上のように構成された本実施形態の袋状の清拭用シート１は、包装体中において、例えば、ポップアップ方式で積層することができる。上記ポップアップ方式は、図７に示すように、複数枚の清拭用シート１ａ，１ｂ・・を、それぞれの上記前方部の非シール部１４ａ，１４ｂ・・を外側に折曲し、一方の清拭用シートの折曲された該前方部の非シール部１４ａと他方の清拭用シートの折曲された該前方部の非シール部１４ｂとを連結させて積層することである。この積層状態は、包装体中からの清拭用シート１ａ，１ｂ・・の取り出しを容易に行えるようにする点で有効である。
【００２５】
また、本実施形態の袋状の清拭用シート１の包装体中における積層状態は、例えば、図８（ａ）  に示すような積層状態、即ち、複数枚をそれぞれの上記折曲部１２ａ，１２ｂ・・が重なるように積層する同方向平積みでも良い。また、図８（ｂ）  に示すような積層状態、即ち、複数枚を上記折曲部１２ａ，１２ｂ・・と上記前方部とが交互に重なるように積層する交互平積みでも良い。
【００２６】
【発明の効果】
本発明の袋状の清拭用シートは、使用の際に人体に痛みを感じさせることがなく、また、その着脱を容易且つ清潔に行うことができる。
【図面の簡単な説明】
【図１】本発明の袋状の清拭用シートの一実施形態を示す斜視図である。
【図２】図１に示す清拭用シートの平面図である。
【図３】挿入空間に手を挿入した時の本実施形態の清拭用シートを示す斜視図である。
【図４】挿入空間に指を挿入した時の本実施形態の清拭用シートを示す斜視図である。
【図５】図５（ａ）  は、図１に示す清拭用シートを手に装着した時の側面から見た断面図、図５（ｂ）  は、図１に示す清拭用シートを使用後に手から取り外した状態を側面から見た断面図である。
【図６】本実施形態の袋状の清拭用シートを製造工程の要部を示す斜視図である。
【図７】本実施形態の袋状の清拭用シートの包装体中における一積層状態を示す側面図である。
【図８】本実施形態の袋状の清拭用シートの包装体中における他の積層状態を示すもので、図７に相当する側面図である。
【符号の説明】
１  袋状の清拭用シート
１０  長方形状のシート
１１  長手方向の側縁
１２  折曲部
１３  折曲部近傍の非シール部
１４  両側縁の前方部の非シール部
【図１】
0003563192.tif 000002
【図２】
0003563192.tif 000003
【図３】
0003563192.tif 000004
【図４】
0003563192.tif 000005
【図５】
0003563192.tif 000006
【図６】
0003563192.tif 000007
【図７】
0003563192.tif 000008
【図８】
0003563192.tif 000009